(57)【特許請求の範囲】
【請求項１】
最初に誤りの発生した第１シーケンス番号を２進数で表し下位の所定数ｎのビットを削除して得られた第１ビット情報と、前記所定数ｎの各ビットを「１」とし前記第１ビット情報の下位に追加して得られる第２シーケンス番号以降のシーケンス番号についての再送要求の有無を表わす第２ビット情報と、からなるＡＲＱ制御情報を受信する受信手段と、前記所定数ｎの各ビットを任意の値とし前記第１ビット情報の下位に追加したシーケンス番号からなる第１シーケンス番号群を得、前記第２シーケンス番号以降の２ｎずつのシーケンス番号からなる第２シーケンス番号群を得るビットマップ処理手段と、前記第１シーケンス番号群の各シーケンス番号が示すパケット、前記第２ビット情報の再送要求有りを示すビットに対応する前記第２シーケンス番号群の各シーケンス番号が示すパケット、及び前記第２シーケンス番号群のうち最も時間的に後方のシーケンス番号以降の番号が示す送信済パケットをすべて再送する再送手段と、を具備することを特徴とする送受信装置。
【請求項２】
ＡＲＱ制御情報は、フレームの位置を示すフレーム番号を含むことを特徴とする請求項１記載の送受信装置。
【請求項３】
連続して発生する誤りの数が多いほど、前記所定数ｎをより大きくすることを特徴とする請求項１記載の送受信装置。
【請求項４】
ＡＲＱ制御情報は、共通チャネルで送信されることを特徴とする請求項１から請求項３のいずれかに記載の送受信装置。
【請求項５】
シーケンス番号は、所定のデータ単位内において同じに設定されることを特徴とする請求項１から請求項４のいずれかに記載の送受信装置。
【請求項６】
複数のＡＲＱ制御情報を連続して送信することを特徴とする請求項１から請求項５のいずれかに記載の送受信装置。
【請求項７】
エラーの発生状況又は回線品質に応じてＡＲＱ制御情報の構成を変更することを特徴とする請求項１から請求項６のいずれかに記載の送受信装置。
【請求項８】
エラーの発生状況又は回線品質に応じてＡＲＱ制御情報を構成するビット数を変更することを特徴とする請求項１から請求項７のいずれかに記載の送受信装置。
【請求項９】
請求項１から請求項８記載の送受信装置を具備することを特徴とする通信端末装置。
【請求項１０】
請求項１から請求項８記載の送受信装置を具備することを特徴とする基地局装置。
【請求項１１】
最初に誤りの発生した第１シーケンス番号を２進数で表し下位の所定数ｎのビットを削除して得られた第１ビット情報と、前記所定数ｎの各ビットを「１」とし前記第１ビット情報の下位に追加して得られる第２シーケンス番号以降のシーケンス番号についての再送要求の有無を表わす第２ビット情報と、からなるＡＲＱ制御情報を受信するステップと、
前記所定数ｎの各ビットを任意の値とし前記第１ビット情報の下位に追加し第１シーケンス番号群を得、前記第２シーケンス番号以降の２ｎずつのシーケンス番号から第２シーケンス番号群を得るステップと、
前記第１シーケンス番号群が示すパケット、前記第２ビット情報の再送要求有りを示す各ビットに対応する前記第２シーケンス番号群が示すパケット、及び前記第２シーケンス番号群のうち最も時間的に後方のシーケンス番号以降の番号が示す送信済パケットをすべて再送するステップと、
を具備することを特徴とする誤り制御方法。
【発明の詳細な説明】
【０００１】
【発明の属する技術分野】
本発明は、送受信装置に関し、特に移動体通信において自動再送要求（Ａｕｔｏｍａｔｉｃ  Ｒｅｐｅａｔ  Ｒｅｑｕｅｓｔ；以下、「ＡＲＱ」という）を行うことによってデータ伝送における誤り制御を行う送受信装置及びその誤り制御方法に関する。
【０００２】
【従来の技術】
受信側が送信側に任意のデータ量単位（例えば、パケット単位、セル単位）で再送を要求するＡＲＱの方式としては、Ｓｔｏｐ  Ａｎｄ  Ｗａｉｔ  ＡＲＱ（ＳＷ−ＡＲＱ）方式、Ｇｏ  Ｂａｃｋ  Ｎ  ＡＲＱ（ＧＢＮ−ＡＲＱ）方式、及び、Ｓｅｌｅｃｔｉｖｅ  Ｒｅｐｅａｔ  ＡＲＱ（ＳＲ−ＡＲＱ）方式、の３方式がよく知られている。
【０００３】
又、最近では、上記３方式のうち、指示されたシーケンス番号（以下、「ＳＮ」という）より時間的に後方の送信済パケット又はセルをすべて再送するＧＢＮ−ＡＲＱ方式と、指示されたＳＮのパケット又はセルのみを再送するＳＲ−ＡＲＱ方式と、を組み合わせたＰＲＩＭＥ−ＡＲＱという方式が提案されている。
【０００４】
ＰＲＩＭＥ−ＡＲＱ方式においては、受信側が、受信されなかったパケット又はセルに対応するＳＮを、予め定められた所定数分、ＡＲＱ制御情報として送信側に送り返し、送信側は、受信したＡＲＱ制御情報に基づいて、指示されたＳＮに対応するパケット又はセルを再送する。又、送信側は、再送指示されたＳＮのうち最も時間的に後方のＳＮ以降の送信済パケット又はセルについてすべて再送する。
【０００５】
以下、図４２及び図４３を用いて、ＰＲＩＭＥ−ＡＲＱ方式について説明する。図４２は、ＰＲＩＭＥ−ＡＲＱ方式の誤り制御を行う送受信装置の概略構成を示す要部ブロック図であり、図４３は、ＰＲＩＭＥ−ＡＲＱ方式のシーケンスの一例を示す模式図である。なお、ここでは、パケット単位でＡＲＱを行っているものとする。
【０００６】
なお、ここでは、一方向のデータ送信を想定し、送受信装置の構成を送信側と受信側に分けて示している。又、本願の特徴に鑑み、再送制御に関する構成のみを示すものとする。
【０００７】
図４２において、送信側は、送信データパケットにＳＮを付与し格納する送信バッファ部４２０１と、送信データパケットにＣＲＣを付加し変調処理を行う変調部４２０２と、変調処理後の送信信号に対してＤ／Ａ変換処理を行うＤ／Ａ変換器４２０３と、Ｄ／Ａ変換後の送信信号を図示しないアンテナから送信する送信ＲＦ部４２０４と、図示しないアンテナから無線信号を受信する受信ＲＦ部４２０５と、受信信号をＡ／Ｄ変換するＡ／Ｄ変換器４２０６と、Ａ／Ｄ変換後の受信信号に対し復調処理及びＣＲＣチェックを行い、ＡＲＱ制御情報を抽出する復調処理部４２０７と、受信信号中のＡＲＱ制御情報に基づき、再送要求されたＳＮを再送するように送信バッファ部４２０１に指示する再送制御部４２０８と、からなる。
【０００８】
一方、受信局は、図示しないアンテナから無線信号を受信する受信ＲＦ部４２０９と、受信信号をＡ／Ｄ変換するＡ／Ｄ変換器４２１０と、Ａ／Ｄ変換後の受信信号に対して復調処理及びＣＲＣチェックを行う復調処理部４２１１と、復調処理後の受信信号に対してデータパケットに付与されているＳＮのチェックを行ないＳＮ抜けの判定及びＳＮ情報の除去を行うＳＮ判定部４２１２と、ＳＮ情報が除去された後の受信信号のデータパケットを格納する受信バッファ部４２１３と、ＳＮ判定部４２１２における判定結果からＡＲＱ制御情報を生成する再送制御情報生成部４２１４と、生成されたＡＲＱ制御情報に対してＣＲＣを付加し変調処理を行う変調部４２１５と、変調処理後の送信信号をＤ／Ａ変換するＤ／Ａ変換器４２１６と、Ｄ／Ａ変換後の送信信号を図示しないアンテナから送信する送信ＲＦ部４２１７と、からなる。
【０００９】
まず、送信側の動作について説明する。入力された送信パケットは、ＳＮを付与されて、送信バッファ部４２０１に格納される。格納された送信パケットは、送信バッファ部４２０１によって、再送制御部４２０８から指示された再送ＳＮに基づいて出力される。
【００１０】
送信バッファ部４２０１から出力されたデータパケットは、変調部４２０２、Ｄ／Ａ変換器４２０３及び送信ＲＦ部４２０４を介して、図示しないアンテナから送信される。
【００１１】
受信ＲＦ部４２０５によって受信された信号は、Ａ／Ｄ変換器４２０６及び復調処理部４２０７を介して再送制御部４２０８に入力され、再送要求されたＳＮが送信バッファ部４２０１へ指示される。
【００１２】
次いで、受信側の動作について説明する。受信ＲＦ部４２０９によって受信された信号は、Ａ／Ｄ変換器４２１０及び復調処理部４２１１を介してＳＮ判定部４２１２に入力され、ＳＮ判定部４２１２によって、受信信号の各データパケットに付与されているＳＮに基づいてデータパケットの抜けが判定される。抜けがあったＳＮは、判定結果として、再送制御情報生成部４２１４へ出力される。
【００１３】
受信信号中のデータパケットの抜けは、再送制御情報生成部４２１４によって、ＡＲＱ制御情報に変換され、出力される。生成されたＡＲＱ制御情報は、変調部４２１５及びＤ／Ａ変換器４２１６を介して、送信ＲＦ部４２１７によって図示しないアンテナから送信される。
【００１４】
又、ＳＮ判定部４２１２によって受信可と判定されたデータパケットは、ＳＮが除去され、受信バッファ部４２１３に入力され、格納される。
【００１５】
次いで、図４３を用いて、ＰＲＩＭＥ−ＡＲＱ方式におけるシーケンスの一例を説明する。
【００１６】
図４３において、送信側からの最初のフレーム送信においては、パケット＃１〜＃９（ＳＮ＝１〜９）が送信され、受信側においてＳＮ＝２、４、５、８の受信が失敗であったことを示している。
【００１７】
ここで、予め定められたＡＲＱ制御情報数を３とすると、受信側は、ＡＲＱ制御信号を用いて、ＳＮ＝２、４、５の３つのパケットについて再送要求をする。
【００１８】
送信側は、ＡＲＱ制御信号を受信し、ＳＮ＝２、４、５及びＳＮ＝６以降の送信済パケットについて再送する。受信側は、受信済のパケットは無視する。
【００１９】
このように、ＰＲＩＭＥ−ＡＲＱ方式においては、少ないデータ量で多くの再送要求をすることができるため、従来の３方式よりも伝送効率が向上する。
【００２０】
【発明が解決しようとする課題】
しかしながら、従来のＰＲＩＭＥ−ＡＲＱ方式の誤り制御においては、再送制御情報で表わすことができるＳＮ数以上のバースト誤りが発生した場合に、伝送効率が劣化するという問題がある。
【００２１】
又、誤り率改善のために再送制御情報の量を増やすと、伝送効率が劣化するという問題が生じる。
【００２２】
本発明はかかる点に鑑みてなされたものであり、伝送効率を劣化させずに誤り率を低下させる送受信装置を提供することを目的とする。
【００２３】
【課題を解決するための手段】
本発明の骨子は、ＰＲＩＭＥ−ＡＲＱ方式において、ＡＲＱ制御情報をシーケンス番号のみからなる構成とせず、最初に誤りの発生した１つのシーケンス番号と、このシーケンス番号以降のシーケンス番号についての再送要求の有無を表わすビット情報と、からなる構成とすることである。
【００２４】
【発明の実施の形態】
本発明の第１の態様に係る送受信装置は、最初に誤りの発生した第１シーケンス番号を２進数で表し下位の所定数ｎのビットを削除して得られた第１ビット情報と、前記所定数ｎの各ビットを「１」とし前記第１ビット情報の下位に追加して得られる第２シーケンス番号以降のシーケンス番号についての再送要求の有無を表わす第２ビット情報と、からなるＡＲＱ制御情報を受信する受信手段と、前記所定数ｎの各ビットを任意の値とし前記第１ビット情報の下位に追加したシーケンス番号からなる第１シーケンス番号群を得、前記第２シーケンス番号以降の２ｎずつのシーケンス番号からなる第２シーケンス番号群を得るビットマップ処理手段と、前記第１シーケンス番号群の各シーケンス番号が示すパケット、前記第２ビット情報の再送要求有りを示すビットに対応する前記第２シーケンス番号群の各シーケンス番号が示すパケット、及び前記第２シーケンス番号群のうち最も時間的に後方のシーケンス番号以降の番号が示す送信済パケットをすべて再送する再送手段と、を具備する構成を採る。
【００２５】
この構成によれば、ＡＲＱ再送制御情報を、再送を要求するＳＮ群からなる構成とせず、再送を要求する一つのＳＮと、このＳＮに続くＳＮについての再送の有無を表わすビットマップと、から構成するようにするため、伝送効率を下げずに再送制御情報量を多くし、誤り率を改善することができる。
【００２８】
本発明の第２の態様に係る送受信装置は、第１の態様において、ＡＲＱ制御情報は、フレームの位置を示すフレーム番号を含む構成を採る。
【００２９】
この構成によれば、ＡＲＱ制御情報でフレーム内の位置情報で誤りが発生したパケットを伝達する場合に、受信側がＡＲＱ制御情報にフレーム相対番号を用いることによって、送信側は、複数のＡＲＱ制御情報にエラーが生じる場合でも、何フレーム前のフレームに関するＡＲＱ制御情報であるかを簡易に判別することができ、適切な再送を行うことができる。
【００３２】
本発明の第３の態様に係る送受信装置は、第１の態様において、連続して発生する誤りの数が多いほど、前記所定数ｎをより大きくする構成を採る。
【００３３】
この構成によれば、省略するビット数を通信中に適応的に可変とすることができるものとし、送信側に省略してあるビット数を伝達するため、伝送効率を更に向上させることができる。
【００３４】
本発明の第４の態様に係る送受信装置は、第１の態様から第３の態様のいずれにおいて、ＡＲＱ制御情報は、共通チャネルで送信される構成を採る。
【００３５】
この構成によれば、通信相手局毎にＡＲＱ制御情報を送信する必要がないため、伝送効率を向上させることができる。
【００３６】
本発明の第５の態様に係る送受信装置は、第１の態様から第４の態様のいずれかにおいて、シーケンス番号は、所定のデータ単位内において同じに設定される構成を採る。
【００３７】
この構成によれば、送受信時のデータ単位であるパケット毎にＳＮを付与するのではなく、データ処理時のデータ単位毎にＳＮを付与し、処理時のデータ単位中に一パケットでも誤りが生じた場合に、一つのＳＮについて再送要求をすれば、その処理時のデータ単位のすべてのパケットについて再送指示をすることができるため、伝送効率を向上させることができる。
【００３８】
本発明の第６の態様に係る送受信装置は、第１の態様から第５の態様のいずれかにおいて、複数のＡＲＱ制御情報を連続して送信する構成を採る。
【００３９】
この構成によれば、ＡＲＱ制御情報のビット数を減らし、特に誤りが離散的に発生した場合に、伝送効率を向上させることができる。
【００４０】
本発明の第７の態様に係る送受信装置は、第１の態様から第６の態様のいずれかにおいて、エラーの発生状況又は回線品質に応じてＡＲＱ制御情報の構成を変更する構成を採る。
【００４１】
この構成によれば、エラーの発生状況又は回線品質に応じて適応的に最適構成を選択することができるため、伝送効率を向上させることができる。
【００４２】
本発明の第８の態様に係る送受信装置は、第１の態様から第７の態様のいずれかにおいて、エラーの発生状況又は回線品質に応じてＡＲＱ制御情報を構成するビット数を変更する構成を採る。
【００４３】
この構成によれば、エラーの発生状況又は回線品質に応じて適応的に最適なビット数を選択することができるため、伝送効率を向上させることができる。
【００４４】
本発明の第９の態様に係る通信端末装置は、第１の態様から第８の態様のいずれかにおける送受信装置を具備する構成を採る。
【００４５】
本発明の第１０の態様に係る基地局装置は、第１の態様から第８の態様のいずれかにおける送受信装置を具備する構成を採る。
【００４６】
これらの構成によれば、伝送効率を劣化させずに誤り率を低下させることができる。
【００４７】
本発明の第１１の態様に係る誤り制御方法は、最初に誤りの発生した第１シーケンス番号を２進数で表し下位の所定数ｎのビットを削除して得られた第１ビット情報と、前記所定数ｎの各ビットを「１」とし前記第１ビット情報の下位に追加して得られる第２シーケンス番号以降のシーケンス番号についての再送要求の有無を表わす第２ビット情報と、からなるＡＲＱ制御情報を受信するステップと、前記所定数ｎの各ビットを任意の値とし前記第１ビット情報の下位に追加し第１シーケンス番号群を得、前記第２シーケンス番号以降の２ｎずつのシーケンス番号から第２シーケンス番号群を得るステップと、前記第１シーケンス番号群が示すパケット、前記第２ビット情報の再送要求有りを示す各ビットに対応する前記第２シーケンス番号群が示すパケット、及び前記第２シーケンス番号群のうち最も時間的に後方のシーケンス番号以降の番号が示す送信済パケットをすべて再送するステップと、を具備するようにした。
【００４８】
この方法によれば、伝送効率を劣化させずに誤り率を低下させることができる。
【００４９】
以下、本発明の実施の形態について、図面を参照して詳細に説明する。なお、以下のすべての実施の形態においては、簡便のため、一方向のデータ送信を想定し、送受信装置の構成を送信側と受信側に分けて示すものとする。又、本願の特徴に鑑み、再送制御に関する構成のみを示すものとする。
【００５０】
（実施の形態１）
以下、図１から図３を用いて、本実施の形態に係る送受信装置及び誤り制御方法について説明する。図１は、本発明の実施の形態１に係る送受信装置の概略構成を示す要部ブロック図であり、図２は、本発明の実施の形態１に係るシーケンスの一例を示す模式図であり、図３は、本発明の実施の形態１に係るＡＲＱ制御情報の一構成例を示す模式図である。
【００５１】
図１において、送信側は、送信データパケットにＳＮを付与し格納する送信バッファ部１０１と、送信データパケットにＣＲＣを付加し変調処理を行う変調部１０２と、変調処理後の送信信号に対してＤ／Ａ変換処理を行うＤ／Ａ変換器１０３と、Ｄ／Ａ変換後の送信信号を図示しないアンテナから送信する送信ＲＦ部１０４と、図示しないアンテナから無線信号を受信する受信ＲＦ部１０５と、受信信号をＡ／Ｄ変換するＡ／Ｄ変換器１０６と、Ａ／Ｄ変換後の受信信号に対し復調処理及びＣＲＣチェックを行い、ＡＲＱ制御情報を抽出する復調処理部１０７と、抽出されたＡＲＱ制御情報から再送要求されたＳＮを判別するビットマップ処理部１０８と、再送要求されたＳＮを再送するように送信バッファ部１０１に指示する再送制御部１０９と、からなる。
【００５２】
一方、受信局は、図示しないアンテナから無線信号を受信する受信ＲＦ部１１０と、受信信号をＡ／Ｄ変換するＡ／Ｄ変換器１１１と、Ａ／Ｄ変換後の受信信号に対して復調処理及びＣＲＣチェックを行う復調処理部１１２と、復調処理後の受信信号に対してデータパケットに付与されているＳＮのチェックを行ないＳＮ抜けの判定及びＳＮ情報の除去を行うＳＮ判定部１１３と、ＳＮ情報が除去された後の受信信号のデータパケットを格納する受信バッファ部１１４と、ＳＮ判定部１１３における判定結果からビットマップ形式のＡＲＱ制御情報を生成するビットマップ生成部１１５と、生成されたＡＲＱ制御情報に対してＣＲＣを付加し変調処理を行う変調部１１６と、変調処理後の送信信号をＤ／Ａ変換するＤ／Ａ変換器１１７と、Ｄ／Ａ変換後の送信信号を図示しないアンテナから送信する送信ＲＦ部１１８と、からなる。
【００５３】
まず、送信側の動作について説明する。入力された送信パケットは、ＳＮを付与されて、送信バッファ部１０１に格納される。格納された送信パケットは、送信バッファ部１０１によって、再送制御部１０９から指示された再送ＳＮに基づいて出力される。
【００５４】
送信バッファ部１０１から出力されたデータパケットは、変調部１０２、Ｄ／Ａ変換器１０３及び送信ＲＦ部１０４を介して、図示しないアンテナから送信される。
【００５５】
受信ＲＦ部１０５によって受信された信号は、Ａ／Ｄ変換器１０６及び復調処理部１０７を介してビットマップ処理部１０８に入力され、ＡＲＱ制御情報中から再送要求されたＳＮが抽出される。抽出された再送要求されたＳＮは、再送制御部１０９によって、送信バッファ部１０１へ指示される。
【００５６】
次いで、受信側の動作について説明する。受信ＲＦ部１１０によって受信された信号は、Ａ／Ｄ変換器１１１及び復調処理部１１２を介してＳＮ判定部１１３に入力され、ＳＮ判定部１１３によって、受信信号の各データパケットに付与されているＳＮに基づいてデータパケットの抜けが判定される。抜けがあったＳＮは、判定結果として、ビットマップ生成部１１５へ出力される。
【００５７】
受信信号中のデータパケットの抜けは、ビットマップ生成部１１５によって、ビットマップ形式のＡＲＱ制御情報に変換され、出力される。生成されたＡＲＱ制御情報は、変調部１１６及びＤ／Ａ変換器１１７を介して、送信ＲＦ部１１８から送信信号として送信される。
【００５８】
又、ＳＮ判定部１１３によって受信可と判定されたデータパケットは、ＳＮが除去され、受信バッファ部１１４に入力され、格納される。
【００５９】
次いで、図２の伝送シーケンス図について説明する。
【００６０】
送信側では、データパケット＃１〜＃１２のデータパケットに対し、ＳＮ＝１〜１２を付与して送信している。そして、受信側において、ＳＮ＝２、４、５、８の４つのデータパケットに誤りが発生している。受信側では、ＳＮ＝２、４、５、８のデータパケットの誤りを検出し、このＳＮ＝２、４、５、８のデータパケットの再送を、ＡＲＱ制御情報を用いて、送信側に対し要求する。
【００６１】
ＡＲＱ制御情報のビット構成を図３に示す。ＡＲＱ制御情報は、最初に誤りが検出されたＳＮと、この最初のＳＮ以降の所定数のデータパケットの再送要求の有無を示すビットマップ形式の情報と、から構成される。
【００６２】
図３に示すＡＲＱ制御情報の一実施例では、先頭の４ビットからなるビット群３０１は、最初に誤りを生じたＳＮを表わすために用いられるものとし、ここではＳＮ＝２とする。なお、このビット群３０１を構成するビット数は、４ビットに限られず、任意の値に設定することができる。
【００６３】
また、最初に誤りを生じたＳＮを表わすビット群の続くビット群（ここでは、６ビット）は、最初に付加されたＳＮ以降のＳＮにおける再送要求の有無を示す。すなわち、ここでは、ビット群３０１がＳＮ＝２を示すため、ビット３０２〜ビット３０７は、順に、ＳＮ＝３〜８のデータパケットの再送要求の有無を示す。例えば、図示するように、再送要求なしは１、再送要求ありは０、で示すものとする。
【００６４】
よって、図３に示す一実施例では、まずビット群３０１がＳＮ＝２であることから、ＳＮ＝２について誤りが発生したことを示し、又、ビット３０２、ビット３０５及びビット３０６が、１であることから、ＳＮ＝３、６、７について受信が正常に行われたことを示し、更に、ビット３０３、ビット３０４及びビット３０７が、０であることから、ＳＮ＝４、５、８について誤りが発生したことを示している。
【００６５】
このようなＡＲＱ制御情報を受信側より受け取った送信側では、ＳＮ＝２、４、５、８のデータパケットを再送する。又、従来のＰＲＩＭＥ−ＡＲＱ方式と同様に、ＡＲＱ制御情報によって指示されたＳＮの中で最も時間的に後方のＳＮ（ここでは、ＳＮ＝８）以降の送信済みＳＮ（ここでは、ＳＮ＝９のみ）について、すべて再送する。よって、送信側は、ＳＮ＝９のデータパケットについても再送している。
【００６６】
したがって、仮に、図２及び図３に示したエラーの発生の一例について、従来のＰＲＩＭＥ−ＡＲＱ方式におけるＡＲＱ制御信号で表わすとすると、１つのＳＮを示すのに４ビット用いるとすれば、４ビット×４つのエラーＳＮ＝１６ビット、必要となる。しかしながら、本実施の形態に係るＡＲＱ制御情報は、ビットマップ形式を用いることによって、同じ情報を送るのに、４ビット（ＳＮ＝２）＋６ビット（ＳＮ＝３〜８）＝１０ビット、しか用いずに済む。
【００６７】
又、従来のＡＲＱ制御情報では、より多くの誤り発生に備えて、ＡＲＱ制御情報によって送信する情報量を増やす場合、１ＳＮ増やすために４ビット必要であるが、本実施の形態に係るビットマップ形式を用いたＡＲＱ制御情報では、１ビット増で済む。よって、本発明は、ＡＲＱ制御情報によって示すＳＮの数が多くなる場合ほど効果がある。
【００６８】
このように、本実施の形態によれば、ＡＲＱ再送制御情報を、再送を要求するＳＮ群からなる構成とせず、再送を要求する一つのＳＮと、このＳＮに続くＳＮについての再送の有無を表わすビットマップと、から構成するようにするため、伝送効率を下げずに再送制御情報量を多くし、誤り率を改善することができる。
【００６９】
なお、ＳＮを表わすビット群は４ビットに限られず、任意のビット数とすることができる。
【００７０】
（実施の形態２）
本実施の形態に係る送受信装置及び誤り制御方法は、実施の形態１と同様の構成を有し、但しＳＮの代わりにフレーム内での位置を示すスロット番号（位置情報）を用いるものである。
【００７１】
ＳＮに用いられる数値は、一定の周期で繰り返されるものの、再送があることを考慮すると、比較的大きい数値まで用いられる。通常、伝送システムに応じて適切な数値が用いられる。
【００７２】
例えば、ＨＤＬＣやＸ．２５パケット交換の伝送プロトコルにおいては、３ビット（モジュロ８で、シーケンス番号０〜７）若しくは７ビット（モジュロ１２８で、シーケンス番号０〜１２７）が用いられ、ＰＰＰ（Ｐｏｉｎｔ−Ｐｏｉｎｔ  Ｐｒｏｔｏｃｏｌ）の伝送プロトコルにおいては、２４ビット（モジュロ２４：シーケンス番号０〜２24−１）の値が用いられ、ＴＣＰ（Ｔｒａｎｓｍｉｓｓｉｏｎ Ｃｏｎｔｒｏｌ Ｐｒｏｔｏｃｏｌ）の伝送プロトコルにおいては、３２ビット（モジュロ３２：シーケンス番号０〜２32−１）の値が用いられている。
【００７３】
ＳＮの値が大きいと、ＳＮを表わすために多くのビット数が必要となるため、本実施の形態においては、ＡＲＱ制御情報内では、ＳＮの代わりに、フレーム内での位置情報、すなわちスロット番号を用いることとする。
【００７４】
一フレーム内のスロット数は、ＳＮの取り得る値よりははるかに小さく、ビット数が大きくなることはない。例えば、一フレームが１６スロットからなるものとすれば、フレーム内位置情報は常に４ビットですべてを表現できることになる。
【００７５】
以下、図４から図８を用いて、本実施の形態に係る送受信装置及びその誤り制御方法について説明する。図４は、本発明の実施の形態２に係る送受信装置の概略構成を示す要部ブロック図であり、図５は、本発明の実施の形態２に係るシーケンスの一例を示す模式図であり、図６から図８は、それぞれ、本発明の実施の形態２に係るＡＲＱ制御情報の一構成例を示す模式図である。なお、実施の形態１と同様の構成には同一の符号を付し、詳しい説明は省略する。
【００７６】
本実施の形態に係るＡＲＱ制御情報は、図６に示すようなビット構成を採り、先頭に位置するビット群６０１は、ＦＳＮ（Ｓｌｏｔ  Ｎｕｍｂｅｒ  ｉｎ  Ｆｒａｍｅ）、すなわちフレーム内での位置を示すスロット番号を表わし、ビット６０２〜ビット６０５は、ビット群６０１によって表わされるスロット番号以降のスロットの誤りの有無を示す。
【００７７】
ここでは、図５に示すように、データパケット＃７〜＃１３を含むフレームの送信において、データパケット＃８、＃９、＃１２に誤りが生じたものとし、データパケット＃８は、フレーム内で２番目に位置するため、ビット群６０１は、ＦＳＮ＝２を示し、以下、フレーム内で３番目から６番目に位置するデータパケットの誤りの有無を示すビット６０２〜ビット６０５は、順に、０、１、１、０、を示す。
【００７８】
図４において、フレーム内送信タイミング制御部４０１は、復調処理部１０７の出力からフレーム及びスロットの同期を得、再送制御部１０９を制御し、フレーム・ビットマップ処理部４０２は、図６に示すような本実施の形態に係るＡＲＱ制御情報を解読して再送すべきパケットを知り、フレームタイミング生成部４０３は、復調処理部１１２の出力からフレーム及びスロットの同期を得、変調部１１６に出力する。
【００７９】
判定部４０４は、受信信号中から再送を要求すべきパケットを選び、後述するフレーム・ビットマップ生成部４０５に伝達する。フレームビットマップ生成部４０５は、判定部４０４の判定結果に基づいて、図６に示したような本実施の形態に係るＡＲＱ制御情報を生成する。
【００８０】
このように、ＦＳＮを用いることによって、伝送するパケット又はセルにＳＮを付与する必要がなく、データ自体の伝送量を減らすことができ、また、ＡＲＱ制御情報に用いるビット数についても減らすことができるため、伝送効率が向上する。
【００８１】
又、ＦＳＮを用いる方法として、図７に示すように、ＡＲＱ制御情報をＦＳＮのみからなるビット構成とすることもできる。ここでは、ビット群７０１がフレーム内での位置が２番目のパケットに誤りが生じたことを示し、以下同様に、ビット群７０２が３番目のパケットの誤りを、ビット群７０３が６番目のパケットの誤りを、それぞれ示している。
【００８２】
又、ＦＳＮを用いる方法として、図６において、常にＦＳＮ＝１とし、更にこの固定されたＦＳＮ＝１を省略することによって、図８に示すように、ＡＲＱ制御情報をフレーム内の先頭スロットからの誤りの有無を示すビットのみからなるビット構成とすることもできる。
【００８３】
ここでは、ビット８０１がフレーム内での位置が１番目のパケットが正常受信であることを示し、ビット８０２がフレーム内での位置が２番目のパケットに誤りが生じたことを示し、以下同様に、ビット８０３は３番目のパケットが誤り、ビット８０４が４番目のパケットが正常受信、ビット８０５が５番目のパケットが正常受信、ビット８０６は６番目のパケットが誤り、ビット８０７が正常受信、をそれぞれ示している。
【００８４】
このように、本実施の形態によれば、ＡＲＱ制御情報において、ＳＮの代わりにＦＳＮを用いることによって、同じＡＲＱ制御情報を送信するのにより少ないデータ量で済むため、伝送効率を向上させることができる。
【００８５】
なお、ここで、フレームとは、ＴＤＭＡ方式における伝送フレーム、ＴＤＭＡ方式におけるマルチ伝送フレーム、複数個のデータパケット、連続するデータパケットなどをいう。
【００８６】
又、ＦＳＮを表わすビット群は４ビットに限られず、任意のビット数とすることができる。
【００８７】
（実施の形態３）
本実施の形態に係る送受信装置及び誤り制御方法は、実施の形態２と同様の構成を有し、但しＡＲＱ制御情報に、フレームの位置を示すフレーム番号として、フレーム相対番号を付加するものである。
【００８８】
ＡＲＱ制御情報にＦＳＮを用いる場合、各フレーム内での位置情報によってどのパケットに誤りが発生したのかを表わすため、ＡＲＱ制御情報自体にエラーが生じ、ＡＲＱ制御情報を再送する場合、どのフレームについての位置情報なのか判別がつなかなくなる。
【００８９】
そこで、本実施の形態においては、ＦＳＮを用いたＡＲＱ制御情報にフレーム相対番号；ＰＦＮ（Ｐｒｅｖｉｏｕｓ  Ｆｒａｍｅ  Ｎｕｍｂｅｒ）を付加し、何フレーム前のフレームに関する情報であるかを判別できるようにする。
【００９０】
以下、図９から図１２を用いて、本実施の形態に係る送受信装置及び誤り制御方法について説明する。図９は、本発明の実施の形態３に係るシーケンスの一例を示す模式図であり、図１０から図１２は、それぞれ、本発明の実施の形態３に係るＡＲＱ制御情報の一構成例を示す模式図である。なお、本実施の形態に係る送受信装置のブロック図は、図４に示す実施の形態２に係るブロック図と同様であるため、ここでは省略する。
【００９１】
図９は、図中最初のフレームにおいて、データパケット＃８、＃９及び＃１２に誤りが生じた場合を示しており、受信側は、この受信状況における再送要求として、図１０に示すように、［ＰＦＮ＝０］［ＦＳＮ＝２］［０１１０］というビット構成を採る。
【００９２】
図１０において、ビット群１００１は、０であり、直前のフレームに関する情報であることを示している。ＰＦＮ＝１であれば、１つ前のフレームに関する情報であることを示し、以下、数値が大きくなるにしたがいその分時間的に前のフレームに関する情報であることを示している。
【００９３】
図１０において、ビット群１００２は、既に述べた場合と同様に、フレーム内で２番目に位置するパケットに誤りが生じたことを示し、ビット１００３〜ビット１００６は、ＦＳＮ＝２であることから、ＦＳＮ＝３〜６についての誤りの有無を示している。
【００９４】
図９に戻り、最初のフレームに関するＡＲＱ制御情報についてエラーが生じると、受信側はＡＲＱ制御情報を再送する。その際、ＡＲＱ制御情報の中身である［ＦＳＮ＝２］［０１１０］は、１つ前のフレームに関する情報であるため、付加されるＰＦＮを１とする。
【００９５】
このように、ＰＦＮを用いることによって、送信側は、何フレーム前のフレームに関するＡＲＱ制御情報であるかを判別することができる。
【００９６】
又、ＦＳＮ及びＰＦＮを用いる方法として、図１１に示すように、図７と同様に、ＡＲＱ制御情報をＰＦＮ及びＦＳＮのみからなるビット構成とすることもできる。ここでは、ビット群１１０１が直前のフレームに関する情報であることを示し、ビット群１１０２がフレーム内での位置が２番目のパケットに誤りが生じたことを示し、以下同様に、ビット群１１０３が３番目のパケットの誤りを、ビット群１１０４が６番目のパケットの誤りを、それぞれ示している。
【００９７】
又、ＦＳＮ及びＰＦＮを用いる方法として、図１２に示すように、図６と同様に、常にＦＳＮ＝１とし、更にこの固定されたＦＳＮ＝１を省略することによって、図１２に示すように、図８と同様に、ＡＲＱ制御情報をＰＦＮ及びフレーム内の先頭スロットからの誤りの有無を示すビットのみからなるビット構成とすることもできる。
【００９８】
ここでは、ビット群１２０１が直前のフレームについての情報であることを示し、ビット１２０２がフレーム内での位置が１番目のパケットが正常受信であることを示し、ビット１２０３がフレーム内での位置が２番目のパケットに誤りが生じたことを示し、以下同様に、ビット１２０４は３番目のパケットが誤り、ビット１２０５が４番目のパケットが正常受信、ビット１２０６が５番目のパケットが正常受信、ビット１２０７は６番目のパケットが誤り、ビット１２０８が正常受信、をそれぞれ示している。
【００９９】
このように、本実施の形態によれば、ＡＲＱ制御情報にＦＳＮを用いてフレーム内の位置情報で誤りが発生したパケットを伝達する場合に、受信側がＡＲＱ制御情報にフレーム相対番号であるＰＦＮを用いることによって、送信側は、複数のＡＲＱ制御情報にエラーが生じる場合でも、何フレーム前のフレームに関するＡＲＱ制御情報であるかを簡易に判別することができ、適切な再送を行うことができる。
【０１００】
なお、ここで、フレームとは、ＴＤＭＡ方式における伝送フレーム、ＴＤＭＡ方式におけるマルチ伝送フレーム、複数個のデータパケット、連続するデータパケットなどをいう。
【０１０１】
又、ＦＳＮを表わすビット群及びＰＦＮを表わすビット群は４ビットに限られず、任意のビット数とすることができる。
【０１０２】
（実施の形態４）
本実施の形態に係る送受信装置及び誤り制御方法は、実施の形態３と同様の構成を有し、但しフレームの位置を示すフレーム番号として、フレーム相対番号の代わりにフレーム絶対番号を用いるものである。
【０１０３】
実施の形態３に示したようなフレーム相対番号を用いる場合、複数のＡＲＱ制御情報にエラーが生じた場合に、処理が煩雑になるという問題が生じる。
【０１０４】
そこで、本実施の形態においては、フレーム同期獲得に用いられる識別番号をフレーム絶対番号；ＦＲＮ（Ｆｒａｍｅ  Ｎｕｍｂｅｒ）としてＰＦＮの代わりに用いるものである。
【０１０５】
フレーム識別番号は、通常、例えば０〜１５の１６値で表わされるものであり、取り得る数値が１６値に限定されているのであれば、それを表わすビット群は４ビットからなる構成で済む。
【０１０６】
以下、図１３から図１６を用いて、本実施の形態に係る送受信装置及び誤り制御方法について説明する。図１３は、本発明の実施の形態４に係るシーケンスの一例を示す模式図であり、図１４から図１６は、それぞれ、本発明の実施の形態４に係るＡＲＱ制御情報の一構成例を示す模式図である。なお、本実施の形態に係る送受信装置のブロック図は、図４に示す実施の形態２に係るブロック図と同様であるため、ここでは省略する。
【０１０７】
図１３において、図中最初のフレームの識別番号が８であるものとし、このフレームの受信において、データパケット＃８、＃９及び＃１２に誤りが生じた場合を示しており、受信側は、この受信状況における再送要求として、図１４に示すように、［ＦＲＮ＝８］［ＦＳＮ＝２］［０１１０］というビット構成を採る。
【０１０８】
図１４において、ビット群１４０１は、８であり、識別番号が８であるフレームに関する情報であることを示している。ビット群１４０２は、既に述べた場合と同様に、フレーム内で２番目に位置するパケットに誤りが生じたことを示し、ビット１４０３〜ビット１４０６は、ＦＳＮ＝２であることから、ＦＳＮ＝３〜６についての誤りの有無を示している。
【０１０９】
このように、ＦＲＮを用いることによって、送信側は、複数のＡＲＱ制御情報にエラーが生じる場合でも、何フレーム前のフレームに関するＡＲＱ制御情報であるかを簡易に判別することができる。又、ＦＲＮを表わすビット群は、ＰＦＮを表わすビット群に比べて少ないビット数で済む。
【０１１０】
又、ＦＳＮ及びＦＲＮを用いる方法として、図１５に示すように、図７と同様に、ＡＲＱ制御情報をＦＲＮ及びＦＳＮのみからなるビット構成とすることもできる。ここでは、ビット群１５０１が識別番号が８であるフレームに関する情報であることを示し、ビット群１５０２がフレーム内での位置が２番目のパケットに誤りが生じたことを示し、以下同様に、ビット群１５０３が３番目のパケットの誤りを、ビット群１５０４が６番目のパケットの誤りを、それぞれ示している。
【０１１１】
又、ＦＳＮ及びＦＲＮを用いる方法として、図８と同様に、常にＦＳＮ＝１とし、更にこの固定されたＦＳＮ＝１を省略することによって、図１６に示すように、ＡＲＱ制御情報をＦＲＮ及びフレーム内の先頭スロットからの誤りの有無を示すビットのみからなるビット構成とすることもできる。
【０１１２】
ここでは、ビット群１６０１が識別番号が８であるフレームについての情報であることを示し、ビット１６０２がフレーム内での位置が１番目のパケットが正常受信であることを示し、ビット１６０３がフレーム内での位置が２番目のパケットに誤りが生じたことを示し、以下同様に、ビット１６０４は３番目のパケットが誤り、ビット１６０５が４番目のパケットが正常受信、ビット１６０６が５番目のパケットが正常受信、ビット１６０７は６番目のパケットが誤り、ビット１６０８が正常受信、をそれぞれ示している。
【０１１３】
このように、本実施の形態によれば、ＡＲＱ制御情報にＦＳＮを用いてフレーム内の位置情報で誤りが発生したパケットを伝達する場合に、受信側がＡＲＱ制御情報にフレーム絶対番号であるＦＲＮを用いることによって、送信側は、複数のＡＲＱ制御情報にエラーが生じる場合でも、いずれのフレームに関するＡＲＱ制御情報であるかを簡易に判別することができ、適切な再送を行うことができる。
【０１１４】
なお、ここで、フレームとは、ＴＤＭＡ方式における伝送フレーム、ＴＤＭＡ方式におけるマルチ伝送フレーム、複数個のデータパケット、連続するデータパケットなどをいう。
【０１１５】
又、ＦＳＮを表わすビット群及びＦＲＮを表わすビット群は４ビットに限られず、任意のビット数とすることができる。
【０１１６】
（実施の形態５）
本実施の形態に係る送受信装置及び誤り制御方法は、実施の形態１と同様の構成を有し、但しＳＮを２進数で表わすビット群の下位ビットを省略し、ＡＲＱ制御情報に用いられるビット数を削減するものである。
【０１１７】
以下、図１７から図２０を用いて、本実施の形態に係る送受信装置及び誤り制御方法について説明する。図１７及び図１９は、それぞれ、本発明の実施の形態５に係るシーケンスの一例を示す模式図であり、図１８及び図２０は、それぞれ、本発明の実施の形態５に係るＡＲＱ制御情報の一構成例を示す模式図である。なお、本実施の形態に係る送受信装置のブロック図は、図４に示す実施の形態２に係るブロック図と同様であるため、ここでは省略する。
【０１１８】
図１７は、図中最初のフレームにおいて、データパケット＃２、＃４、＃５及び＃８に誤りが生じた場合を示しており、受信側は、この受信状況における再送要求として、図１８に示すように、［ＯＳＮ＝１］［０１０］というビット構成を採る。
【０１１９】
ここで、ＯＳＮ（Ｏｍｉｔｔｅｄ  Ｓｅｑｕｅｎｃｅ  Ｎｕｍｂｅｒ）は、ＳＮを２進数で表わし、下位ビットを省略した時の値を１０進数で表わした値である。
【０１２０】
本実施の形態においては、省略するのを最下位ビットである１ビット目とする。例えば、ＳＮ＝２は、２進数で表わすと、「１０」である。この１ビット目を省略すると「１」となり、これを１０進数で表わすと、ＯＳＮ＝１となる。又、例えば、ＳＮ＝８は、２進数で表わすと、「１０００」である。この１ビット目を省略すると「１００」となり、これを１０進数で表わすと、ＯＳＮ＝４となる。
【０１２１】
すなわち、ＯＳＮ＝１は、ＳＮ＝２及びＳＮ＝３の両方を表わしており、ＯＳＮ＝４は、ＳＮ＝８及びＳＮ＝９の両方を表わしている。
【０１２２】
図１８において、ビット群１８０１は、１であり、ＳＮ＝２及びＳＮ＝３の少なくとも一方に誤りが発生したことを示しており、ビット１８０２〜ビット１８０４は、ビット群１８０１においてＯＳＮ＝１であることから、それぞれＯＳＮ＝２〜４を表わしている。ビット１８０２は、０であることから、ＳＮ＝４及びＳＮ＝５の少なくとも一方に誤りが発生したことを示しており、ビット１８０３は、１であることから、ＳＮ＝６及びＳＮ＝７のいずれも正常受信されたことを示しており、ビット１８０４は、０であることから、ＳＮ＝８及びＳＮ＝９の少なくとも一方に誤りが発生したことを示している。
【０１２３】
図１７に戻り、最初のフレームに関するＡＲＱ制御情報を受信した送信側は、図１８に示したＡＲＱ制御情報によって指示されたＳＮ＝２、３、４、５、８、９について、再送する。受信側は、ＳＮ＝３及びＳＮ＝９については、既に正常受信済みであるため、廃棄する。
【０１２４】
このように、ＯＳＮを用いることによって、ＡＲＱ制御情報に用いるビット数を減らすことができるため、伝送効率が向上する。
【０１２５】
又、ＯＳＮを用いる方法として、図２０に示すように、図７と同様に、ＡＲＱ制御情報をＯＳＮのみからなるビット構成とすることもできる。
【０１２６】
例えば、図１９に示すシーケンスの一例のように、最初のフレームにおいて、ＳＮ＝２及びＳＮ＝８についてエラーが発生した場合、受信側は、ＡＲＱ制御情報として［ＯＳＮ＝１］［ＯＳＮ＝４］を送信する。
【０１２７】
図２０において、ビット群２００１は、ＳＮ＝２、３の少なくとも一方に誤りが発生したことを示し、ビット群２００２は、ＳＮ＝８、９の少なくとも一方に誤りが発生したことを示している。よって、このＡＲＱ制御情報を受信した送信側は、ＳＮ＝２、３、８、９を再送する。受信側は、ＳＮ＝３、９は、正常受信済みのため廃棄する。
【０１２８】
このように、本実施の形態によれば、ＡＲＱ制御情報において、ＳＮの代わりにＯＳＮを用いることによって、同じＡＲＱ制御情報を送信するのにより少ないデータ量で済むため、伝送効率を向上させることができる。特に、ＯＳＮは、連続するＳＮを一度に送ることができるため、誤りが連続するような状況でより効果的である。
【０１２９】
なお、本実施の形態において、省略するビット数が１である場合について述べたが、上記場合に限られず、２以上の下位ビットを省略してもよい。省略するビット数を多くするほど連続するＳＮをより多く一度に送ることができるため、誤りが連続するような状況でより効果的である。
【０１３０】
なお、ここで、フレームとは、ＴＤＭＡ方式における伝送フレーム、ＴＤＭＡ方式におけるマルチ伝送フレーム、複数個のデータパケット、連続するデータパケットなどをいう。
【０１３１】
又、ＯＳＮを表わすビット群は４ビットに限られず、任意のビット数とすることができる。
【０１３２】
（実施の形態６）
本実施の形態に係る送受信装置及び誤り制御方法は、実施の形態５と同様の構成を有し、但し通信中に省略するビット数を変えることができるものである。
【０１３３】
以下、図２１から図２３を用いて、本実施の形態に係る送受信装置及び誤り制御方法について説明する。図２１は、本発明の実施の形態６に係るシーケンスの一例を示す模式図であり、図２２及び図２３は、それぞれ、本発明の実施の形態６に係るＡＲＱ制御情報の一構成例を示す模式図である。なお、本実施の形態に係る送受信装置のブロック図は、図４に示す実施の形態２に係るブロック図と同様であるため、ここでは省略する。
【０１３４】
実施の形態５においては、ＳＮを２進数で表わした場合の下位ビットを予め定められたビット数省略する場合について述べたが、本実施の形態においては、省略する下位のビット数を通信中に適応的に可変とすることにより、更に伝送効率の向上を図るものである。
【０１３５】
図２１は、図中最初のフレームにおいて、データパケット＃２、＃４及び＃５に誤りが生じた場合を示しており、受信側は、この受信状況における再送要求として、図２２に示すように、［ＯＭＢ＝１］［ＯＳＮ＝１］［０１０］というビット構成を採る。
【０１３６】
ここで、ＯＭＢ（Ｏｍｉｔｔｅｄ  Ｂｉｔｓ）は、２進数で表わしたＳＮの下位ビットを何ビット省略したかを示した値である。
【０１３７】
例えば、ＯＭＢ＝２であれば、下位の２ビットが省略されていることになり、ＯＳＮ＝１は、ＳＮ＝４〜７を表わすことになる。
【０１３８】
図２２において、ビット群２２０１は、１であり、下位の１ビットが省略されていることを示しており、ビット群２２０２は、１であり、ＳＮ＝２、３を示しており、ビット２２０３〜ビット２２０５は、それぞれＯＳＮ＝２〜４を表わしており、ビット２２０３は、０であることから、ＳＮ＝４及びＳＮ＝５の少なくとも一方に誤りが発生したことを示しており、ビット２２０４は、１であることから、ＳＮ＝６及びＳＮ＝７のいずれも正常受信されたことを示しており、ビット２２０５は、０であることから、ＳＮ＝８及びＳＮ＝９の少なくとも一方に誤りが発生したことを示している。
【０１３９】
図２１に戻り、最初のフレームに関するＡＲＱ制御情報を受信した送信側は、図２２に示したＡＲＱ制御情報によって指示されたＳＮ＝２、３、４、５、８、９について、再送する。受信側は、ＳＮ＝３及びＳＮ＝９については、既に正常受信済みであるため、廃棄する。
【０１４０】
このように、ＯＭＢ及びＯＳＮを用いることによって、ＡＲＱ制御情報に用いるビット数を減らすことができるため、伝送効率が向上する。
【０１４１】
又、ＯＭＢ及びＯＳＮを用いる方法として、図２３に示すように、図２０と同様に、ＡＲＱ制御情報をＯＳＮのみからなるビット構成とすることもできる。
【０１４２】
図２３において、ビット群２３０１は、下位の省略ビット数が１であることを示し、ビット群２３０２は、ＳＮ＝２、３の少なくとも一方に誤りが発生したことを示し、ビット群２３０３は、ＳＮ＝４、５の少なくとも一方に誤りが発生したことを示しており、ビット群２３０４は、ＳＮ＝８、９の少なくとも一方に誤りが発生したことを示している。
【０１４３】
よって、このＡＲＱ制御情報を受信した送信側は、ＳＮ＝２、３、４、５、８、９を再送する。受信側は、ＳＮ＝３、９は、正常受信済みのため廃棄する。
【０１４４】
このように、本実施の形態によれば、ＡＲＱ制御情報において、ＳＮの代わりにＯＳＮを用い、更に、省略するビット数を通信中に適応的に可変とすることができるものとし、ＯＭＢを用いて送信側に省略してあるビット数を伝達するため、伝送効率を更に向上させることができる。特に、省略するビット数を多くするほど連続するＳＮをより多く一度に送ることができるため、誤りが連続するような状況でより効果的である。
【０１４５】
なお、ここで、フレームとは、ＴＤＭＡ方式における伝送フレーム、ＴＤＭＡ方式におけるマルチ伝送フレーム、複数個のデータパケット、連続するデータパケットなどをいう。
【０１４６】
又、ＯＳＮを表わすビット群及びＯＭＢを表わすビット群は４ビットに限られず、任意のビット数とすることができる。
【０１４７】
（実施の形態７）
本実施の形態に係る送受信装置及び誤り制御方法は、実施の形態２と同様の構成を有し、但し複数の通信相手局と通信を行う場合にＡＲＱ制御情報を共通チャネルで送信するものである。
【０１４８】
以下、図２４及び図２５を用いて、本実施の形態に係る送受信装置及び誤り制御方法について説明する。図２４は、本発明の実施の形態７に係るシーケンスの一例を示す模式図であり、図２５は、本発明の実施の形態７に係る通信フレームの一構成例を示す模式図である。なお、本実施の形態に係る送受信装置のブロック図は、図４に示す実施の形態２に係るブロック図と同様であるため、ここでは省略する。
【０１４９】
本実施の形態において、受信側は基地局であり、送信側は複数の通信端末（ＴＥ１〜３）であるものとする。
【０１５０】
本実施の形態においては、チャネル毎（通信端末毎）に行っていた誤り制御を、共通チャネルを用いて行うことによって、各通信端末は、基地局から共通のＡＲＱ制御情報を受信することになり、送受信するデータ量が減り、伝送効率が向上する。
【０１５１】
図２４において、受信側である基地局では、最初のフレーム内での３番目のパケットであるＴＥ３からのパケット＃１と、４番目のパケットであるＴＥ１からのパケット＃２と、７番目のパケットであるＴＥ２からのパケット＃２と、についてエラーを検出したものとする。
【０１５２】
そこで、基地局は、共通チャネルを用いて、ＡＲＱ制御情報［ＦＳＮ＝３］［ＦＳＮ＝４］［ＦＳＮ＝７］を送信する。各通信端末は、このＡＲＱ制御情報を受信し、指示されたフレーム内位置にあったパケットを再送する。
【０１５３】
図２５は、１フレーム内のスロット構成の一例を示しており、１フレームの先頭に共通チャネル２５０１が配置され、スロット２５０２、２５０５はＴＥ１、スロット２５０３、２５０８及び２５０９はＴＥ２、スロット２５０４、２５０６及び２５０７はＴＥ３、にそれぞれ用いられた場合を示している。
【０１５４】
このように、本実施の形態によれば、受信側である基地局が通信相手局毎にＡＲＱ制御情報を送信する必要がないため、伝送効率を向上させることができる。
【０１５５】
なお、本実施の形態においては、ＡＲＱ制御情報が図７に示すビット構成を採る場合について説明したが、本実施の形態において受信側が共通チャネルからブロードキャストするＡＲＱ制御情報は、既に述べた実施の形態のいずれにおけるＡＲＱ制御情報の構成を用いてもよい。
【０１５６】
（実施の形態８）
本実施の形態に係る送受信装置及び誤り制御方法は、実施の形態１と同様の構成を有し、但し所定のデータ単位内では同一のＳＮを付けるものである。
【０１５７】
データ処理時のデータ単位と送受信時のデータ単位とは必ずしも一致せず、例えば、実際に送受信されるパケットは、送受信時のデータ単位であり、通常、複数個のパケットが集まって初めて有効なデータ処理時のデータ単位となる。
【０１５８】
よって、データ処理時のデータ単位中に一パケットでも誤りが生じれば、データ処理が正常に行えず、そのデータ処理時のデータ単位を構成するパケットについて、正常に受信されたものも廃棄される。
【０１５９】
したがって、パケット毎にＳＮを付与すると、データ処理時のデータ単位中のいずれかのパケットに誤りが生じ、そのデータ処理時のデータ単位を構成するすべてのパケットについて再送要求をする場合に、すべてのパケットに付与されたＳＮについて送信元に指示しなければならない。
【０１６０】
そこで、本実施の形態においては、パケット毎に付与していたＳＮを、より上位のデータ処理時のデータ単位毎に付与するようにする。
【０１６１】
以下、図２６から図２８を用いて、本実施の形態に係る送受信装置について説明する。図２６から図２８は、それぞれ、本発明の実施の形態８に係るデータパケットの通信状態を示す模式図である。なお、本実施の形態に係る送受信装置のブロック図は、図４に示す実施の形態２に係るブロック図と同様であるため、ここでは省略する。
【０１６２】
図２６は、パケット通信において、バースト毎に同じＳＮを付与した場合を示している。各バーストは、個々の通信局データであり、一パケットでも欠ければ、その通信局にとっては正常なデータ送受信ではない。よって、同一のＳＮを付与し、少なくとも一つに誤りがあればすべて再送する。
【０１６３】
又、図２７は、スロット単位で同じＳＮを付与する場合について示している。各スロットは、個々の通信局データであり、一パケットでも欠ければ、その通信局にとっては正常なデータ送受信ではない。よって、同一のＳＮを付与し、少なくとも一つに誤りがあればすべて再送する。
【０１６４】
又、図２８は、上位レイヤとして例えばＩＰパケット単位で同じＳＮを付与する場合について示している。各ＩＰパケットは、データ処理時の処理単位であり、一パケットでも欠ければ、そのデータは廃棄される。よって、同一のＳＮを付与し、少なくとも一つに誤りがあればすべて再送する。
【０１６５】
このように、本実施の形態によれば、送受信時のデータ単位であるパケット毎にＳＮを付与するのではなく、データ処理時のデータ単位毎にＳＮを付与し、処理時のデータ単位中に一パケットでも誤りが生じた場合に、一つのＳＮについて再送要求をすれば、その処理時のデータ単位のすべてのパケットについて再送指示をすることができるため、伝送効率を向上させることができる。
【０１６６】
なお、本実施の形態のおけるＡＲＱ制御情報は、既に述べた実施の形態のいずれにおけるＡＲＱ制御情報の構成を用いてもよい。
【０１６７】
（実施の形態９）
本実施の形態に係る送受信装置及び誤り制御方法は、実施の形態１と同様の構成を有し、但し複数のビットマップ形式を用いたＡＲＱ制御情報を連続して送信するものである。
【０１６８】
以下、図２９を用いて、本実施の形態に係る送受信装置及び誤り制御方法について説明する。図２９は、本発明の実施の形態９に係るシーケンスの一例を示す模式図である。なお、本実施の形態に係る送受信装置のブロック図は、図４に示す実施の形態２に係るブロック図と同様であるため、ここでは省略する。
【０１６９】
図３に示したような、ビットマップ形式を用いたＡＲＱ制御情報は、少ないビット数で多くのＳＮについて情報を送信できるという利点があるが、ビット列ゆえに連続したＳＮについての情報しか送信することができず、誤りが離散的に発生した場合に伝送効率が劣化する。
【０１７０】
そこで、本実施の形態においては、図３に示したようなビットマップ形式を用いたＡＲＱ制御情報を、ビット列の長さを短くした上で、２個連続で送信する。
【０１７１】
図２９は、本実施の形態におけるシーケンスの一例であり、図中最初のフレームにおいて、データパケット＃２、＃４、＃５、＃７、＃８に誤りが生じた場合を示している。
【０１７２】
受信側は、図３に示したようなビット構成のビット列を３ビットに縮め、ここでは２回送信するものとする。この場合、ＡＲＱ制御情報は、図示するように、［ＳＮ＝２］［１００］［ＳＮ＝７］［ＳＮ＝０１０］となる。
【０１７３】
このようなＡＲＱ制御情報の送信方法は、フレーム内のパケット数が多く、誤りが離散的に発生している場合により伝送効率を向上させる効果を生じる。
【０１７４】
このように、本実施の形態によれば、ビットマップ形式を用いたＡＲＱ制御情報のビット構成中のビット列のビット数を減らし、複数回送信するため、ＡＲＱ制御情報のビット数を減らし、特に誤りが離散的に発生した場合に、伝送効率を向上させることができる。
【０１７５】
なお、本実施の形態のおけるＡＲＱ制御情報は、上記構成以外でも、既に述べた実施の形態のいずれにおけるＡＲＱ制御情報の構成を用いてもよい。
【０１７６】
又、離散的な誤りに対応できるビット構成であれば、複数のＡＲＱ制御情報は必ずしも連続して送信しなくてもよい。
【０１７７】
（実施の形態１０）
本実施の形態に係る送受信装置及び誤り制御方法は、実施の形態１と同様の構成を有し、但しエラーの発生状況に応じてＡＲＱ制御情報の構成を変えるものである。
【０１７８】
以下、図３０から図３３を用いて、本実施の形態に係る送受信装置及び誤り制御方法について説明する。図３０は、本発明の実施の形態１０に係る送受信装置の概略構成を示す要部ブロック図であり、図３１及び図３２は、それぞれ、本発明の実施の形態１０に係るシーケンスの一例を示す模式図であり、図３３は、本発明の実施の形態１０に係るＡＲＱ制御情報の一構成例を示す模式図である。なお、実施の形態１と同様の構成には同一の符号を付し、詳しい説明は省略する。
【０１７９】
図３３（ａ）に示すビット構成は、通常のＰＲＩＭＥ−ＡＲＱ方式におけるＡＲＱ制御情報の構成（ビット群３３０２及びビット群３３０３）に識別フラグを示す１ビット（ビット３３０１）を付加したものであり、図３３（ｂ）に示すビット構成は、ビットマップ形式を用いたＡＲＱ制御情報の構成（ビット群３３０５及びビット３３０６〜３３０９）に識別フラグを示す１ビット（ビット３３０４）を付加したものである。
【０１８０】
識別フラグは、０であれば、通常のＰＲＩＭＥ−ＡＲＱ方式に則ってＡＲＱ制御情報が送信されていることを示し、１であれば、ビットマップ形式を用いたＡＲＱ制御情報が送信されていることを示す。
【０１８１】
図３０に示す送信側においては、再送制御情報選択部３００１は、受信したＡＲＱ制御情報中の識別フラグに基づいて、ＡＲＱ制御情報のビット構成を判別し、ビットマップ形式であれば、受信したＡＲＱ制御情報をビットマップ処理部１０８に出力し、通常のＰＲＩＭＥ−ＡＲＱ方式の構成であれば、セレクタ部３００２を介して、再送制御部１０９へ出力する。
【０１８２】
一方受信側では、再送制御情報判定部３００３は、ＳＮ判定部１１３の出力からＳＮのエラーが連続的であるか離散的であるかを判別し、再送制御情報切替部３００５に伝達する。再送制御情報生成部３００４は、ＳＮ判定部１１３の出力に基づいて、通常のＰＲＩＭＥ−ＡＲＱ方式のＡＲＱ制御情報を生成する。再送制御情報切替部３００５は、再送制御情報判定部３００３の出力に基づいて、再送制御情報生成部３００４によって生成された通常のＰＲＩＭＥ−ＡＲＱ方式のＡＲＱ制御情報か、又はビットマップ生成部１１５によって生成されたビットマップ形式を用いたＡＲＱ制御情報か、いずれかを選択的に出力する。
【０１８３】
１フレームのパケット数が１３とすると、図３１に示すように、誤りが発生したＳＮが２及び１２というように、離散的に誤りが発生した場合は、通常のＰＲＩＭＥ−ＡＲＱ方式を用いた方が伝送効率がよい。又、図３２に示すように、誤りがＳＮ＝８、１０、１１というように非離散的である場合は、ビットマップ形式を用いる方が伝送効率が向上する。
【０１８４】
このように、本実施の形態によれば、フレーム内におけるエラー発生状況に応じてＡＲＱ制御情報の構成を適応的に切り替えるため、伝送効率を向上させることができる。
【０１８５】
なお、本実施の形態に係る送受信装置及び誤り制御方法によって切り替えるＡＲＱ制御情報の構成は、上記２構成に限られず、既に述べたいずれの実施の形態におけるＡＲＱ制御情報の構成を用いることもできる。
【０１８６】
又、識別フラグは、１ビットに限られない。識別フラグを２ビット以上からなるようにすることによって、２以上の構成を切り替えるようにすることもできる。
【０１８７】
又、ＡＲＱ制御情報の種類を切り替えるのではなく、同じ構成を採るが、ビットマップ形式のビット数を増減させる等、構成するビット又はビット群の数を増減するようにすることもできる。
【０１８８】
（実施の形態１１）
本実施の形態に係る送受信装置は、実施の形態１０と同様の構成を有し、但し復調信号の判定誤差を用いて回線品質を推定し、回線品質に応じてＡＲＱ制御情報に用いるビット数を変えるものである。
【０１８９】
以下、図３４及び図３５を用いて、本実施の形態に係る送受信装置について説明する。図３４は、本発明の実施の形態１１に係る送受信装置の概略構成を示す要部ブロック図であり、図３５は、本発明の実施の形態１１に係る送受信装置の復調処理部及び再送制御パラメータ決定部の概略構成を示す要部ブロック図である。なお、実施の形態１０と同様の構成には同一の符号を付し、詳しい説明は省略する。
【０１９０】
図３４において、再送制御パラメータ決定部３４０１は、復調処理部の出力から、受信信号の回線品質を推定し、推定された回線品質に応じてビットマップ生成部１１５、再送制御情報生成部３００４及び再送制御情報切替部３００５を制御し、回線品質に応じて、通常のＰＲＩＭＥ−ＡＲＱ方式のＡＲＱ制御情報及びビットマップ形式を用いたＡＲＱ制御情報に用いられるビット数又はビット群数を増減させる。
【０１９１】
図３５において、復調部３５０１は、受信信号を復調し、判定部３５０２は、信号点の判定を行う。
【０１９２】
減算器３５０３は、判定器３５０２の入力信号と出力信号とを減算処理して判定誤差を算出し、減算器３５０４は、減算器３５０３の出力である判定誤差としきい値とを減算処理し、判定部３５０５が大小判定を行う。
【０１９３】
この判定結果によって、判定誤差が所定値より多い場合は回線品質が劣悪な状況であると判断し、所定値より少ない場合は回線品質が良好であると判断する。
【０１９４】
回線品質が劣悪な場合、ＡＲＱ制御情報に用いられるビット数又はビット群数を増やすことによって誤り率の向上を図り、回線品質が良好な場合、ビット数又はビット群数を減らし、伝送効率向上を図る。
【０１９５】
このように、本実施の形態によれば、回線品質に応じてＡＲＱ制御情報に用いるビット数又はビット群数を適当的に変えるため、誤り率を低く抑えつつ伝送効率の向上を図ることができる。
【０１９６】
（実施の形態１２）
本実施の形態に係る送受信装置は、実施の形態１１と同様の構成を有し、但し判定誤差を平均化してから用いるものである。
【０１９７】
以下、図３６を用いて、本実施の形態に係る送受信装置について説明する。図３６は、本発明の実施の形態１２に係る送受信装置の復調処理部及び再送制御パラメータ決定部の概略構成を示す要部ブロック図である。なお、実施の形態１１と同様の構成には同一の符号を付し、詳しい説明は省略する。
【０１９８】
図３６において、平均化器３６０１は、減算器３５０３の出力である判定誤差を平均化する。
【０１９９】
このように、本実施の形態によれば、判定誤差を平均化してから用いるため、回線品質の検出精度を向上させることができる。
【０２００】
（実施の形態１３）
本実施の形態に係る送受信装置は、実施の形態１２と同様の構成を有し、但し判定誤差をスロット間で平均してから用いるものである。
【０２０１】
以下、図３７及び図３８を用いて、本実施の形態に係る送受信装置について説明する。図３７は、本発明の実施の形態１３に係る送受信装置の復調処理部及び再送制御パラメータ決定部の概略構成を示す要部ブロック図であり、図３８は、本発明の実施の形態７に係る送受信装置のスロット間平均部の概略構成を示す要部ブロック図である。なお、実施の形態１２と同様の構成には同一の符号を付し、詳しい説明は省略する。
【０２０２】
図３７において、スロット間平均部３７０１は、平均化された各スロットの判定誤差の平均値を算出し、減算器３５０４に出力する。
【０２０３】
図３８において、スイッチ３８０１は、スロット毎に出力先を切り替え、メモリ３８０２は、各スロットの平均化された判定誤差を一時的に格納し、平均化部３８０３は、各スロットの平均化された判定誤差に対して平均化処理する。
【０２０４】
このように、本実施の形態によれば、各スロットにおける平均化された判定誤差をスロット間で平均化するため、回線品質推定精度を向上させることができる。
【０２０５】
（実施の形態１４）
本実施の形態に係る送受信装置は、実施の形態１３と同様の構成を有し、但し１フレーム前の回線推定値と現フレームの回線推定値とを加重平均するものである。
【０２０６】
以下、図３９を用いて、本実施の形態に係る送受信装置について説明する。図３９は、本発明の実施の形態１４に係る送受信装置のスロット間平均部の概略構成を示す要部ブロック図である。なお、実施の形態１３と同様の構成には同一の符号を付し、詳しい説明は省略する。
【０２０７】
図３９において、乗算器３９０１は、現フレームの回線推定値に０．１を乗じ、メモリ３９０２は、１フレーム前の回線推定値を格納し、乗算器３９０３は、１フレーム前の回線推定値に０．９を乗じ、加算器３９０４は、乗算器３９０１と乗算器３９０３の出力とを加算し、減算器３５０４に出力する。
【０２０８】
このように、本実施の形態によれば、１フレーム前の回線推定値と現フレームの回線推定値と加重平均するため、回線品質推定の精度を上げることができる。
【０２０９】
（実施の形態１５）
本実施の形態に係る送受信装置は、実施の形態１４と同様の構成を有し、但し加重平均に用いる係数の値を可変とするものである。
【０２１０】
以下、図４０を用いて、本実施の形態に係る送受信装置について説明する。図４０は、本発明の実施の形態１５に係る送受信装置のスロット間平均部の概略構成を示す要部ブロック図である。なお、実施の形態１４と同様の構成には同一の符号を付し、詳しい説明は省略する。
【０２１１】
図４０において、スイッチ４００１は、０．５又は０．１を選択的に出力し、スイッチ４００２は、０．５又は０．９を選択的に出力する。スイッチ４００１及びスイッチ４００２から出力される係数の和は常に１になるものとする。
【０２１２】
このように、本実施の形態によれば、加重平均に用いる係数を可変とするため、加重平均処理の収束速度を早めることができる。
【０２１３】
（実施の形態１６）
本実施の形態に係る送受信装置は、実施の形態１４と同様の構成を有し、但し加重平均をビットシフトで実現するものである。
【０２１４】
以下、図４１を用いて、本実施の形態に係る送受信装置について説明する。図４１は、本発明の実施の形態１６に係る送受信装置のスロット間平均部の概略構成を示す要部ブロック図である。なお、実施の形態１４と同様の構成には同一の符号を付し、詳しい説明は省略する。
【０２１５】
ディジタル信号を１ビットシフトさせると振幅が半分になることに鑑み、ビットシフト器を用いることによって、スロット間平均部３７０１から演算量を要す乗算器を省くことができる。
【０２１６】
２ビットシフト器４１０１は、現フレームの回線推定値を２ビットシフトさせ、０．２５倍とする。２ビットシフト器４１０２及び１ビットシフト器４１０３は、メモリ３９０２の出力である１フレーム前の回線推定値を、それぞれ２ビットシフト、１ビットシフトさせ、それぞれ０．２５倍、０．５倍とする。
【０２１７】
加算器４１０４は、２ビットシフト器４１０２及び１ビットシフト器４１０３の出力を加算し、１フレーム前の回線推定値の０．７５倍を生成する。最後に加算器３９０４が、２ビットシフト器４１０１の出力と加算器４１０４の出力とを加算し、減算器３５０４に出力する。
【０２１８】
このように、本実施の形態によれば、ビットシフトで加重平均処理を実現することができるため、演算量を減らすことができる。
【０２１９】
なお、上記実施の形態１〜１６においては、エラーチェックの方法としてＣＲＣ検査を例に挙げたが、エラー判定ができるならば、任意の方法でよい。
【０２２０】
又、上記実施の形態１〜１６は、いずれも適宜組み合わせて実施することができ、送信制御に関する形態では、ビットが表わす数値がＳＮかフレーム番号か等は不問である。
【０２２１】
【発明の効果】
以上説明したように、本発明によれば、伝送効率を劣化させずに誤り率を低下させることができる。
【図面の簡単な説明】
【図１】本発明の実施の形態１に係る送受信装置の概略構成を示す要部ブロック図
【図２】本発明の実施の形態１に係るシーケンスの一例を示す模式図
【図３】本発明の実施の形態１に係るＡＲＱ制御情報の一構成例を示す模式図
【図４】本発明の実施の形態２に係る送受信装置の概略構成を示す要部ブロック図
【図５】本発明の実施の形態２に係るシーケンスの一例を示す模式図
【図６】本発明の実施の形態２に係るＡＲＱ制御情報の一構成例を示す模式図
【図７】本発明の実施の形態２に係るＡＲＱ制御情報の一構成例を示す模式図
【図８】本発明の実施の形態２に係るＡＲＱ制御情報の一構成例を示す模式図
【図９】本発明の実施の形態３に係るシーケンスの一例を示す模式図
【図１０】本発明の実施の形態３に係るＡＲＱ制御情報の一構成例を示す模式図
【図１１】本発明の実施の形態３に係るＡＲＱ制御情報の一構成例を示す模式図
【図１２】本発明の実施の形態３に係るＡＲＱ制御情報の一構成例を示す模式図
【図１３】本発明の実施の形態４に係るシーケンスの一例を示す模式図
【図１４】本発明の実施の形態４に係るＡＲＱ制御情報の一構成例を示す模式図
【図１５】本発明の実施の形態４に係るＡＲＱ制御情報の一構成例を示す模式図
【図１６】本発明の実施の形態４に係るＡＲＱ制御情報の一構成例を示す模式図
【図１７】  本発明の実施の形態５に係るシーケンスの一例を示す模式図
【図１８】本発明の実施の形態５に係るＡＲＱ制御情報の一構成例を示す模式図
【図１９】本発明の実施の形態５に係るシーケンスの一例を示す模式図
【図２０】本発明の実施の形態５に係るＡＲＱ制御情報の一構成例を示す模式図
【図２１】本発明の実施の形態６に係るシーケンスの一例を示す模式図
【図２２】本発明の実施の形態６に係るＡＲＱ制御情報の一構成例を示す模式図
【図２３】本発明の実施の形態６に係るＡＲＱ制御情報の一構成例を示す模式図
【図２４】本発明の実施の形態７に係るシーケンスの一例を示す模式図
【図２５】本発明の実施の形態７に係る通信フレームの一構成例を示す模式図
【図２６】本発明の実施の形態８に係るデータパケットの通信状態を示す模式図
【図２７】本発明の実施の形態８に係るデータパケットの通信状態を示す模式図
【図２８】本発明の実施の形態８に係るデータパケットの通信状態を示す模式図
【図２９】本発明の実施の形態９に係るシーケンスの一例を示す模式図
【図３０】本発明の実施の形態１０に係る送受信装置の概略構成を示す要部ブロック図
【図３１】本発明の実施の形態１０に係るシーケンスの一例を示す模式図
【図３２】本発明の実施の形態１０に係るシーケンスの一例を示す模式図
【図３３】本発明の実施の形態１０に係るＡＲＱ制御情報の一構成例を示す模式図
【図３４】本発明の実施の形態１１に係る送受信装置の概略構成を示す要部ブロック図
【図３５】本発明の実施の形態１１に係る送受信装置の復調処理部及び再送制御パラメータ決定部の概略構成を示す要部ブロック図
【図３６】本発明の実施の形態１２に係る送受信装置の復調処理部及び再送制御パラメータ決定部の概略構成を示す要部ブロック図
【図３７】本発明の実施の形態１３に係る送受信装置の復調処理部及び再送制御パラメータ決定部の概略構成を示す要部ブロック図
【図３８】本発明の実施の形態７に係る送受信装置のスロット間平均部の概略構成を示す要部ブロック図
【図３９】本発明の実施の形態１４に係る送受信装置のスロット間平均部の概略構成を示す要部ブロック図
【図４０】本発明の実施の形態１５に係る送受信装置のスロット間平均部の概略構成を示す要部ブロック図
【図４１】本発明の実施の形態１６に係る送受信装置のスロット間平均部の概略構成を示す要部ブロック図
【図４２】ＰＲＩＭＥ−ＡＲＱ方式の誤り制御を行う送受信装置の概略構成を示す要部ブロック図
【図４３】ＰＲＩＭＥ−ＡＲＱ方式のシーケンスの一例を示す模式図
【符号の説明】
１０８  ビットマップ処理部
１１５  ビットマップ生成部
【図１】
0004015773.tif 000002
【図２】
0004015773.tif 000003
【図３】
0004015773.tif 000004
【図４】
0004015773.tif 000005
【図５】
0004015773.tif 000006
【図６】
0004015773.tif 000007
【図７】
0004015773.tif 000008
【図８】
0004015773.tif 000009
【図９】
0004015773.tif 000010
【図１０】
0004015773.tif 000011
【図１１】
0004015773.tif 000012
【図１２】
0004015773.tif 000013
【図１３】
0004015773.tif 000014
【図１４】
0004015773.tif 000015
【図１５】
0004015773.tif 000016
【図１６】
0004015773.tif 000017
【図１７】
0004015773.tif 000018
【図１８】
0004015773.tif 000019
【図１９】
0004015773.tif 000020
【図２０】
0004015773.tif 000021
【図２１】
0004015773.tif 000022
【図２２】
0004015773.tif 000023
【図２３】
0004015773.tif 000024
【図２４】
0004015773.tif 000025
【図２５】
0004015773.tif 000026
【図２６】
0004015773.tif 000027
【図２７】
0004015773.tif 000028
【図２８】
0004015773.tif 000029
【図２９】
0004015773.tif 000030
【図３０】
0004015773.tif 000031
【図３１】
0004015773.tif 000032
【図３２】
0004015773.tif 000033
【図３３】
0004015773.tif 000034
【図３４】
0004015773.tif 000035
【図３５】
0004015773.tif 000036
【図３６】
0004015773.tif 000037
【図３７】
0004015773.tif 000038
【図３８】
0004015773.tif 000039
【図３９】
0004015773.tif 000040
【図４０】
0004015773.tif 000041
【図４１】
0004015773.tif 000042
【図４２】
0004015773.tif 000043
【図４３】
0004015773.tif 000044